(57)【要約】【課題】ＬＣＤ表示ユニット等の表示ユニットの構造において、新しい実装方法を用いることにより、表示ユニットを含めた携帯用情報処理装置の表示装置における薄型構造を実現する。【解決手段】表示ユニットと、表示ユニットの背面を覆うカバーとから構成される表示装置であって、表示ユニットは、ガラスと、ガラス周縁部を保持するベゼルと、シャーシとを具備し、ベゼルが、表示ユニットの少なくとも一辺から延伸させた、シャーシの外側に突出する延伸部を備える。【選択図】  図６
2004271893.tif 000002
【特許請求の範囲】
【請求項１】
表示ユニットと、前記表示ユニットの背面を覆うカバーとから構成される表示装置であって、前記表示ユニットは、ガラスと、前記ガラスの周縁部を保持するベゼルと、シャーシとを具備し、前記ベゼルが、前記表示ユニットの少なくとも一部分から延伸させた、前記シャーシの外側に突出する延伸部を備えることを特徴とする表示装置。
【請求項２】
前記ベゼルの前記延伸部は前記表示ユニットの基部側に設けられることを特徴とする請求項１記載の表示装置。
【請求項３】
前記表示ユニットは矩形状の表示面を有し、前記ベゼルの前記延伸部は前記表示ユニットの短辺の１つに設けられることを特徴とする請求項１記載の表示装置。
【請求項４】
前記ベゼルの前記延伸部の背面側に、前記表示ユニットの側面と前記カバーとで囲まれた内側空間が形成され、前記空間に電子部品が配設されることを特徴とする請求項１記載の表示装置。
【請求項５】
表示装置を備える情報処理装置であって、前記表示装置が、表示ユニットと、前記表示ユニットの背面を覆うカバーとから構成される表示装置であって、前記表示ユニットは、ガラスと、前記ガラスの周縁部を保持するベゼルと、シャーシとを具備し、前記ベゼルが、前記表示ユニットの少なくとも一部分から延伸させた、前記シャーシの外側に突出する延伸部を備えることを特徴とする情報処理装置。
【発明の詳細な説明】
【０００１】
【発明の属する技術分野】
本発明は、ノート型パーソナルコンピュータ等の携帯用の情報処理装置の表示装置として用いられる表示ユニットの構造に関する。
【０００２】
【従来の技術】
近年、表示装置として用いられる表示ユニットの構造として、薄型化・省スペース性が求められている。これに伴い、コンピュータシステムの表示装置として、ＣＲＴ（ｃａｔｈｏｄｅ＿ｒａｙ＿ｔｕｂｅ）ディスプレイに変わって、薄型化・省スペース性に優れたＬＣＤ（ｌｉｑｕｉｄ＿ｃｒｙｓｔａｌ＿ｄｉｓｐｌａｙ）ディスプレイがより多く使用される傾向にある。
【０００３】
ＬＣＤ表示ユニット等の薄型表示ユニットの実用化により、ノート型パーソナルコンピュータのような薄型・省スペースに非常に優れた携帯用情報処理装置が市場に受け入れられている。
【０００４】
なお、本発明に関連する従来の技術として、特開２０００−１９９７８号公報には、携帯用情報処理装置の表示ユニットにおける表化粧板の強度を高めるために、表化粧板の材料を金属とした構成が示されている。また、特開２００１−３３７６２１号公報には、液晶モニター用の平面表示装置内部にモニター用映像信号処理回路基板を直接固定した構成が示されており、回路基板専用の支持部品を設けることを不要にしている。
【０００５】
【特許文献１】
特開２０００−１９９７８号公報
【０００６】
【特許文献２】
特開２００１−３３７６２１号公報
【０００７】
【発明が解決しようとする課題】
図１は、従来の表示ユニット構造を示す分解斜視図である。図２は、図１に示した線ＩＩ−ＩＩ’に沿って切断した場合の従来の表示ユニット構造を示す断面図である。
【０００８】
図１の表示装置は、ノート型パーソナルコンピュータの表示部に用いられるＬＣＤ表示装置の一例である。図１に示したように、ＬＣＤ表示装置２０は一般的に、表化粧板１と、表示ユニット２と、表示ユニットに付随する電子部品３と、表示ユニットを可動に取り付けるための機構部品４と、カバー５とを組み付けた構造を有する。
【０００９】
図２に示したように、上記部品を組み付けた状態のＬＣＤ表示装置２０は、表化粧板１と、表示ユニット２と、カバー５の高さ寸法の合計に相当する厚さを有する。
【００１０】
しかしながら、携帯用情報処理装置の表示装置に対する薄型化の要求はますます増加している。この要求を満足するために表示ユニットは年々薄くなる傾向にある。
【００１１】
携帯用情報処理装置の表示装置を薄型化する手段として、様々な方法があるが、代表的な方法としては、ＬＣＤ表示ユニットを薄型にするものである。例えば、ＬＣＤ表示ユニットに使われているガラスを薄くする方法や、光源であるバックライトの導光板を薄くする方法がある。
【００１２】
図３は、図１のＬＣＤ表示ユニット２の構造を説明するための断面図である。
【００１３】
図３に示したように、このＬＣＤ表示ユニットは、ベゼル６と、ガラス７と、任意の複数枚で構成される光学シート８と、導光板９と、シャシー１０と、プリント回路基板１１と、ＣＣＦＬ（ｃｏｌｄ＿ｃａｔｈｏｄｅ＿ｆｌｕｏｒｅｓｃｅｎｔ）光源１２とから構成される。
【００１４】
図３のＬＣＤ表示ユニットにおいて、ベゼル６はガラス７の周縁部を保持するための部品である。ベゼル６は端部を折り曲げて成形されており、シャシー１０の端部を覆うように箱形状を有する。導光板９と、光学シート８と、ガラス７はシャシー１０内側に、順次積み重ねて設けてある。ＣＣＦＬ光源１２は、シャシー１０の基部（図３の左端部）内側の、導光板９の入射側端部と向かい合う位置に取り付けてある。プリント回路基板１１は、シャシー１０の先端部（図３の右端部）の近傍の、導光板９の裏面側に取り付けてある。
【００１５】
前述した２つの方法は、ある程度以上に、ＬＣＤ表示ユニットの薄型化を達成するためには、それぞれ問題がある。ＬＣＤ表示ユニットに使用されるガラスを薄くする方法は、ガラスの強度が低下してしまうことが問題となる。光源であるバックライトの導光板を薄くする方法は、導光板が薄くなることでバックライトの輝度が低下してしまうことが問題となる。
【００１６】
本発明は、上記の点に鑑みてなされたものであり、ＬＣＤ表示ユニット等の表示ユニットの構造において、新しい実装方法を用いることにより、表示ユニットを含めた携帯用情報処理装置の表示装置における薄型構造を実現することを目的とする。
【００１７】
【課題を解決するための手段】
上記課題を解決するため、本発明の表示装置は、表示ユニットと、前記表示ユニットの背面を覆うカバーとから構成される表示装置であって、前記表示ユニットは、ガラスと、前記ガラスの周縁部を保持するベゼルと、シャーシとを具備し、前記ベゼルが、前記表示ユニットの少なくとも一部分から延伸させた、前記シャーシの外側に突出する延伸部を備えることを特徴とする。
【００１８】
また、上記課題を解決するため、本発明の情報処理装置は、表示装置を備える情報処理装置であって、前記表示装置が、表示ユニットと、前記表示ユニットの背面を覆うカバーとから構成される表示装置であって、前記表示ユニットは、ガラスと、前記ガラスの周縁部を保持するベゼルと、シャーシとを具備し、前記ベゼルが、前記表示ユニットの少なくとも一部分から延伸させた、前記シャーシの外側に突出する延伸部を備えることを特徴とする。
【００１９】
本発明の表示装置においては、表示ユニットのベゼル形状を改良し、従来の折り曲げて箱形状を成しているベゼル形状を折り曲げずに延ばしたままとすることで、表示ユニットの側面とベゼルの裏側部分に囲まれた内側空間を形成し、表示ユニットを表示装置に実装するときに、カバーとの間で形成される内側空間に電子部品を実装することが可能である。
【００２０】
本発明の表示ユニット構造によれば、従来の構造では不可欠であった表化粧板が不要となり、より薄型化した表示装置の構造を実現できる。さらには、携帯用情報処理装置の表示装置に対する薄型化の要求に応えることができる。
【００２１】
【発明の実施の形態】
以下、本発明の実施の形態について図面を用いて説明する。
【００２２】
図４は、本発明の一実施例の表示装置における表示ユニットを示す。図５は、図４に示した線Ｖ−Ｖ’に沿って切断した場合の表示ユニットを示す断面図である。
【００２３】
図４及び図５に示したように、この実施例のＬＣＤ表示ユニット３２は、ガラス３２ｃの周縁部を保持するベゼルが、表示ユニット３２の基部側の長辺から延伸させた、シャーシ１０の外側に突出する延伸部３２ａを備える。ベゼル延伸部３２ａの背面側に、表示ユニット３２の側面とカバー５で囲まれる内側空間３２ｂが形成される。
【００２４】
図４の表示ユニット３２においては、従来の構成のようにベゼルを折り曲げて箱形状とするのではなく、表示ユニット３２のベゼルを基部側の長辺から延伸したままにして、表示ユニット３２の側面とベゼルの裏側に内側空間３２ｂを設けるようにする。このように構成することで、内側空間３２ｂに、電子部品を実装することができる。従来の構成のように、表化粧板１で電子部品を隠す必要がなくなる。その結果、表化粧板１の厚みをなくすことで薄型の表示ユニットを実現するものである。
【００２５】
図６は、図４の表示ユニットを設けた本発明の一実施例の表示装置を示す分解斜視図である。図７は、図６に示した線ＶＩＩ−ＶＩＩ’に沿って切断した場合の表示装置を示す断面図である。
【００２６】
図６及び図７に示したように、この実施例のＬＣＤ表示装置３０は、矩形状の表示ユニット３２と、表示ユニットの背面を覆うカバー５と、表示ユニットに付随する電子部品３と、表示ユニットを可動に取り付けるための機構部品４とを組み付けた構成を有する。ここで、表示ユニット３２は矩形状のものに限定されるものではなく、均一な厚みの直方体の形状をもつＬＣＤ等であってもよい。加えていえば、本発明の主旨から、表示装置の形状はどのような形状であってもかまわない。
【００２７】
図７に示したように、上記各部品を組み付けた状態のＬＣＤ表示装置３０は、表示ユニット３２とカバー５の高さ寸法の合計に相当する厚さを有する。この実施例では、表示ユニット３２のベゼルが、表示ユニット３２の基部側の長辺に設けられた延伸部３２ａを備えており、従来の構成のような表化粧板１を設けていない。延伸部３２ａの背面側には、表示ユニット３２の側面とカバー５とで囲まれた内側空間が形成され、この内側空間に電子部品３を配設することができる。
【００２８】
したがって、この実施例の表示ユニット構造においても、表化粧板１を用いることは不要となり、表示ユニットの薄型構造を実現できる。
【００２９】
図１０は、図６の表示ユニット３２の構造を説明するための断面図である。
【００３０】
図１０の表示ユニット３２において、ベゼルはガラス３２ｃの周縁部を保持する機能を果たすとともに、表示ユニット３２の基部側（図１０の左側）の長辺から延伸させた、シャーシ１０の外側に突出する延伸部３２ａを有する。導光板９と、光学シート８と、ガラス３２ｃはシャシー１０内側に、順次積み重ねて設けてある。ＣＣＦＬ光源１２は、シャシー１０の基部内側の、導光板９の入射側端部と向かい合う位置に取り付けてある。プリント回路基板１１は、シャシー１０の先端部（図１０の右側）の近傍の、導光板９の裏面側に取り付けてある。
【００３１】
図１０の表示ユニット３２においては、ベゼル延伸部３２ａの背面側の、表示ユニット３２の側面とカバー５で囲まれた内側空間に電子部品３を配設できるため、従来の構造のように、表化粧板１で電子部品３を隠す必要がなくなる。
【００３２】
図２の従来の構造と図７の本発明の表示ユニット構造とを比較すると、従来の構造のような表化粧板１がないため、図７の構造のほうが薄い表示ユニットを実現できることが分かる。構造的に、本発明の表示ユニット構造によれば、表示ユニットを、ノート型パーソナルコンピュータ等の情報処理装置に実装する方法は、ベゼルの表示面側からねじ等で固定する方式や、表示ユニットの側面にて固定する方法など、固定方法にはとらわれずに適用が可能である。
【００３３】
図９は、図６の表示装置における表示ユニットの組み付け方法を説明するための図である。
【００３４】
図９に示した例は、ねじを用いて、表示ユニット３２をカバー５に固定する方式を示す。表示ユニット３２の基部側の長辺に設けた、ベゼルの延伸部３２ａの左右隅部に開口４１ａ，４２ａを形成する。カバー５の底部の、開口４１ａ，４２ａに対応する箇所にそれぞれ、ボス４１ｂ，４２ｂを形成する。表示ユニット３２の表示面側から、ねじ４１、４２をそれぞれ、開口４１ａ，４２ａとボス４１ｂ，４２ｂに組み付けることにより、表示ユニット３２をカバー５に固定する。
【００３５】
図８は、本発明の他の実施例の表示ユニット構造を示す分解斜視図である。
【００３６】
図８に示した表示装置３０Ａは、矩形状の表示ユニット３２Ａと、表示ユニット３２Ａの背面を覆うカバー５Ａとから構成される。この表示装置３０Ａにおいて、表示ユニット３２Ａのベゼルは、表示ユニット３２Ａの右側の短辺に設けられた延伸部３２ａを備えており、従来の構成のような表化粧板１を設けていない。延伸部３２ａの背面側には、表示ユニット３２Ａの側面とカバー５Ａとで囲まれた内側空間が形成される。
【００３７】
したがって、図６の実施例と同様に、この実施例の表示ユニット構造においても、表化粧板１を用いることは不要となり、表示ユニットの薄型構造を実現できる。また、ベゼル延伸部の背面側の内側空間に、電子部品３を配設することができる。
【００３８】
図８の表示装置３０Ａにおける表示ユニット３２Ａの組み付け方法としては、例えば、図９と同様に、ねじを組み付けることで、表示ユニット３２Ａの短辺に設けたベゼルの延伸部３２ａの上下隅部を、カバー５Ａの底部の対応する箇所に固定すればよい。
【００３９】
図１１は、本発明の表示ユニット構造を組み込んだノート型パーソナルコンピュータを示す。
【００４０】
図１１に示したノート型パーソナルコンピュータ１００は、機構部品４により、コンピュータ本体に回動自在に取付けられた表示装置３０を備える。前述したように、表示装置３０は、表示ユニット３２のベゼルが、表示ユニット３２の基部側の長辺に設けられた延伸部３２ａを備えており、従来の構成のような表化粧板１を設けていない。したがって、表示ユニットの薄型構造を実現することができ、ノート型パーソナルコンピュータの表示装置に対する薄型化の要求に応えることができる。
【００４１】
（付記１）
表示ユニットと、前記表示ユニットの背面を覆うカバーとから構成される表示装置であって、前記表示ユニットは、ガラスと、前記ガラスの周縁部を保持するベゼルと、シャーシとを具備し、前記ベゼルが、前記表示ユニットの少なくとも一部分から延伸させた、前記シャーシの外側に突出する延伸部を備えることを特徴とする表示装置。
【００４２】
（付記２）
前記ベゼルの前記延伸部は、前記表示ユニットの基部側に設けられることを特徴とする付記１記載の表示装置。
【００４３】
（付記３）
前記表示ユニットは矩形状の表示面を有し、前記ベゼルの前記延伸部は前記表示ユニットの短辺の１つに設けられることを特徴とする付記１記載の表示装置。
【００４４】
（付記４）
前記ベゼルの前記延伸部の背面側に、前記表示ユニットの側面と前記カバーとで囲まれた内側空間が形成され、前記空間に電子部品が配設されることを特徴とする付記１記載の表示装置。
【００４５】
（付記５）
表示装置を備える情報処理装置であって、前記表示装置が、表示ユニットと、前記表示ユニットの背面を覆うカバーとから構成される表示装置であって、前記表示ユニットは、ガラスと、前記ガラスの周縁部を保持するベゼルと、シャーシとを具備し、前記ベゼルが、前記表示ユニットの少なくとも一部分から延伸させた、前記シャーシの外側に突出する延伸部を備えることを特徴とする情報処理装置。
【００４６】
（付記６）
前記ベゼルの前記延伸部は前記表示ユニットの基部側に設けられることを特徴とする付記５記載の情報処理装置。
【００４７】
（付記７）
前記表示ユニットは矩形状の表示面を有し、前記ベゼルの前記延伸部は前記表示ユニットの短辺の１つに設けられることを特徴とする付記５記載の情報処理装置。
【００４８】
（付記８）
前記ベゼルの前記延伸部の背面側に、前記表示ユニットの側面と前記カバーとで囲まれた内側空間が形成され、前記空間に電子部品が配設されることを特徴とする付記５記載の情報処理装置。
【００４９】
【発明の効果】
以上説明したように、本発明の表示ユニット構造によれば、従来の構造では不可欠であった表化粧板が不要となり、より薄型化した表示装置の構造を実現できる。さらに、携帯用情報処理装置における表示装置の薄型化の要求に応えることができる。
【００５０】
【図面の簡単な説明】
【図１】従来の表示ユニット構造を示す分解斜視図である。
【図２】図１に示した線ＩＩ−ＩＩ’に沿って切断した場合の従来の表示ユニット構造を示す断面図である。
【図３】図１の従来の表示ユニット構造を説明するための断面図である。
【図４】本発明の一実施例の表示装置における表示ユニットを示す斜視図である。
【図５】図４に示した線Ｖ−Ｖ’に沿って切断した場合の表示ユニットを示す断面図である。
【図６】図４の表示ユニットを設けた本発明の一実施例の表示装置を示す分解斜視図である。
【図７】図６に示した線ＶＩＩ−ＶＩＩ’に沿って切断した場合の表示装置を示す断面図である。
【図８】本発明の他の実施例の表示ユニット構造を示す分解斜視図である。
【図９】図６の表示ユニット構造における表示ユニットの組み付け方法を説明するための斜視図である。
【図１０】図６の表示ユニット構造を説明するための断面図である。
【図１１】本発明の表示ユニット構造を組み込んだノート型パーソナルコンピュータを示す斜視図である。
【符号の説明】
１  表化粧板
２  ＬＣＤ表示ユニット
３  電子部品
４  機構部品
５  カバー
６  ベゼル
７  ガラス
８  光学シート
９  導光板
１０  シャシー
１１  プリント回路基板
１２  ＣＣＦＬ光源
２０  従来のＬＣＤ表示装置
３０  ＬＣＤ表示装置
３２  ＬＣＤ表示ユニット
３２ａ  ベゼル延伸部
３２ｂ  内側空間
３２ｃ  ガラス
１００  コンピュータ
【図１】
2004271893.tif 000003
【図２】
2004271893.tif 000004
【図３】
2004271893.tif 000005
【図４】
2004271893.tif 000006
【図５】
2004271893.tif 000007
【図６】
2004271893.tif 000008
【図７】
2004271893.tif 000009
【図８】
2004271893.tif 000010
【図９】
2004271893.tif 000011
【図１０】
2004271893.tif 000012
【図１１】
2004271893.tif 000013